(57)【要約】【課題】画像形成装置のように組込みのハードウェアリソースを用いる装置からエクスポートされた複数のデータの中から他の装置へインポートするデータを選択する作業を、ユーザにとって従来よりも容易にする。【解決手段】画像形成装置１Ａにおける、複数の項目それぞれの設定の情報を、次のように選択的に画像形成装置１Ｂへ適用する。  複数の項目それぞれの、設定の情報を示す設定データを所定のサイズ以下に分割した複数の分割データのうちのいずれかを、ユーザに選択させる。複数の分割データのうちのいずれかが選択された場合に、選択された分割データ、および、選択された分割データと元の設定データが同一である分割データを使用することによって、画像形成装置１Ｂへ設定の情報を適用する。【選択図】図１
2017028618.tif 000002
【特許請求の範囲】
【請求項１】
第一の処理装置における、複数の項目それぞれの設定の情報を選択的に第二の処理装置へ適用する設定情報適用装置であって、
前記複数の項目それぞれの、前記設定の情報を示す設定データを所定のサイズ以下に分割した複数の分割データのうちのいずれかを、ユーザに選択させるための選択手段と、
前記複数の分割データのうちのいずれかが前記ユーザによって選択された場合に、前記複数の項目それぞれの前記複数の分割データのうちの、当該選択された分割データおよび元の前記設定データが同一である分割データとを、被選択データに区分する区分手段と、
前記複数の項目それぞれの前記複数の分割データのうちの前記被選択データに区分されている分割データを使用することによって、前記第二の処理装置へ前記設定の情報を適用するための適用処理を実行する、適用処理手段と、
を有することを特徴とする設定情報適用装置。
【請求項２】
前記選択手段は、前記複数の項目それぞれの前記複数の分割データそれぞれのオブジェクトを並べて表示することによって、当該複数の分割データのうちのいずれかを前記ユーザに選択させ、
前記区分手段は、前記オブジェクトに対して選択の操作がなされた場合に、前記複数の項目それぞれの前記複数の分割データのうちの、当該オブジェクトに対応する分割データおよび当該対応する分割データと元の前記設定データが同一である分割データを、前記被選択データに区分する、
請求項１に記載の設定情報適用装置。
【請求項３】
前記区分手段は、さらに、前記複数の項目それぞれの前記複数の分割データのうちの、前記選択の操作がなされた前記オブジェクトに対応する分割データに係る項目に関連する項目のすべての分割データを前記被選択データに区分する、
請求項２に記載の設定情報適用装置。
【請求項４】
前記オブジェクトに対して解除の操作がなされた場合に、前記複数の項目それぞれの前記複数の分割データのうちの、当該オブジェクトに対応する分割データおよび当該対応する分割データと元の前記設定データが同一である分割データを、前記被選択データへの区分から外す、区分解除手段、を有し、
前記適用処理手段は、前記適用処理を、実行の操作がなされた後に実行する、
請求項２または請求項３に記載の設定情報適用装置。
【請求項５】
前記区分解除手段は、さらに、前記複数の項目それぞれの前記複数の分割データのうちの、前記解除の操作がなされた前記オブジェクトに対応する分割データに係る項目に関連する項目のすべての分割データを前記被選択データへの区分から外す、
請求項４に記載の設定情報適用装置。
【請求項６】
前記複数の項目のうちのいずれか２つ以上の項目が、互いに関連する項目として固定的に定められている、
請求項３または請求項５に記載の設定情報適用装置。
【請求項７】
前記複数の項目のうちの互いに関連する２つ以上の項目が、前記第一の処理装置および前記第二の処理装置それぞれの環境に応じて定められる、
請求項３または請求項５に記載の設定情報適用装置。
【請求項８】
前記複数の項目は、ユーザの認証に関する第一の項目、部門の認証に関する第二の項目、ネットワークに関する第三の項目、データの宛先に関する第四の項目、およびデバイスに関する第五の項目であり、
前記第一の処理装置および前記第二の処理装置が互いに異なるセグメントに所属する場合に、前記互いに関連する２つ以上の項目が前記第一の項目、前記第二の項目、前記第三の項目、および前記第四の項目であると定められる、
請求項７に記載の設定情報適用装置。
【請求項９】
前記複数の項目は、ユーザの認証に関する第一の項目、部門の認証に関する第二の項目、ネットワークに関する第三の項目、データの宛先に関する第四の項目、およびデバイスに関する第五の項目であり、
前記第一の処理装置および前記第二の処理装置が互いに異なるフロアに設置されている場合に、前記互いに関連する２つ以上の項目が前記第一の項目および前記第四の項目であると定められる、
請求項７に記載の設定情報適用装置。
【請求項１０】
前記複数の項目は、ユーザの認証に関する第一の項目、部門の認証に関する第二の項目、ネットワークに関する第三の項目、データの宛先に関する第四の項目、およびデバイスに関する第五の項目であり、
前記第一の処理装置および前記第二の処理装置が互いに異なる部門で使用される場合に、前記互いに関連する２つ以上の項目が前記第一の項目、前記第二の項目、および前記第四の項目であると定められる、
請求項７に記載の設定情報適用装置。
【請求項１１】
前記第一の処理装置および前記第二の処理装置と通信回線を介して通信を行う通信手段と、
前記第一の処理装置からエクスポートされた、前記複数の項目それぞれの前記複数の分割データを記憶する記憶手段と、を有し、
前記適用処理手段は、前記記憶手段に記憶された前記複数の項目それぞれの前記複数の分割データを使用して前記適用処理を実行する、
請求項２ないし請求項１０のいずれかに記載の設定情報適用装置。
【請求項１２】
前記表示手段、前記区分手段、および適用処理手段は、前記第二の処理装置に設けられている、
請求項２ないし請求項１０のいずれかに記載の設定情報適用装置。
【請求項１３】
前記第二の処理装置とともに同一の群によって管理される１台または複数台の第三の処理装置へ前記複数の項目それぞれの前記複数の分割データのうちの前記被選択データに区分されている分割データを送信する送信手段、を有する、
請求項１２に記載の設定情報適用装置。
【請求項１４】
第一の処理装置における、複数の項目それぞれの設定の情報を選択的に第二の処理装置へ適用する設定情報適用方法であって、
前記複数の項目それぞれの、前記設定の情報を示す設定データを所定のサイズ以下に分割した複数の分割データのうちのいずれかを、ユーザに選択させ、
前記複数の分割データのうちのいずれかが前記ユーザによって選択された場合に、前記複数の項目それぞれの前記複数の分割データのうちの、当該選択された分割データおよび元の前記設定データが同一である分割データとを、被選択データに区分し、
前記複数の項目それぞれの前記複数の分割データのうちの前記被選択データに区分されている分割データを使用することによって、前記第二の処理装置へ前記設定の情報を適用するための適用処理を実行する、
ことを特徴とする設定情報適用方法。
【請求項１５】
第一の処理装置における、複数の項目それぞれの設定の情報を選択的に第二の処理装置へ適用するコンピュータに用いられるコンピュータプログラムであって、
前記コンピュータに、
前記複数の項目それぞれの、前記設定の情報を示す設定データを所定のサイズ以下に分割した複数の分割データのうちのいずれかを、ユーザに選択させるための処理を実行させ、
前記複数の分割データのうちのいずれかが前記ユーザによって選択された場合に、前記複数の項目それぞれの前記複数の分割データのうちの、当該選択された分割データおよび元の前記設定データが同一である分割データとを、被選択データに区分する処理を実行させ、
前記複数の項目それぞれの前記複数の分割データのうちの前記被選択データに区分されている分割データを使用することによって、前記第二の処理装置へ前記設定の情報を適用するための適用処理を実行させる、
ことを特徴とするコンピュータプログラム。
【請求項１６】
前記複数の項目それぞれの前記複数の分割データそれぞれのオブジェクトを並べて表示する処理を前記コンピュータに実行させ、
前記選択させるための処理として、前記オブジェクトに対して選択の操作がなされた場合に、前記複数の項目それぞれの前記複数の分割データのうちの、当該オブジェクトに対応する分割データおよび当該対応する分割データと元の前記設定データが同一である分割データを、前記被選択データに区分する処理を、前記コンピュータに実行させる、
請求項１５に記載のコンピュータプログラム。
【請求項１７】
前記コンピュータに、さらに、前記複数の項目それぞれの前記複数の分割データのうちの、前記選択の操作がなされた前記オブジェクトに対応する分割データに係る項目に関連する項目のすべての分割データを前記被選択データに区分させる、
請求項１６に記載のコンピュータプログラム。
【請求項１８】
前記コンピュータに、前記オブジェクトに対して解除の操作がなされた場合に、前記複数の項目それぞれの前記複数の分割データのうちの、当該オブジェクトに対応する分割データおよび当該対応する分割データと元の前記設定データが同一である分割データを、前記被選択データへの区分から外す区分解除処理を実行させ、
前記適用処理を、実行の操作がなされた後に実行させる、
請求項１６または請求項１７に記載のコンピュータプログラム。
【請求項１９】
前記コンピュータに、さらに、前記複数の項目それぞれの前記複数の分割データのうちの、前記解除の操作がなされた前記オブジェクトに対応する分割データに係る項目に関連する項目のすべての分割データを前記被選択データへの区分から外させる、
請求項１８に記載のコンピュータプログラム。
【請求項２０】
前記複数の項目のうちのいずれか２つ以上の項目が、互いに関連する項目として固定的に定められている、
請求項１７ないし請求項１９のいずれかに記載のコンピュータプログラム。
【請求項２１】
前記複数の項目のうちの互いに関連する２つ以上の項目が、前記第一の処理装置および前記第二の処理装置それぞれの環境に応じて定められる、
請求項１７ないし請求項１９のいずれかに記載のコンピュータプログラム。
【請求項２２】
前記表示する処理、前記区分する処理、および前記適用処理を前記コンピュータの代わりに前記第二の処理装置に実行させる、
請求項１６ないし請求項２１のいずれかに記載のコンピュータプログラム。
【請求項２３】
前記第二の処理装置とともに同一の群によって管理される１台または複数台の第三の処理装置へ前記複数の項目それぞれの前記複数の分割データのうちの前記被選択データに区分されている分割データを送信する処理を前記第二の処理装置に実行させる、
請求項２２に記載のコンピュータプログラム。
【発明の詳細な説明】
【技術分野】
【０００１】
本発明は、一方の装置の設定に関する情報を他方の装置へ適用する技術に関する。
【背景技術】
【０００２】
コピー、ネットワークプリント、ファックス、スキャン、およびファイルサーバなどの機能を集約した画像形成装置が普及している。このような画像形成装置は、「複合機」または「ＭＦＰ（Multi Function Peripherals）」などと呼ばれている。
【０００３】
近年、画像形成装置の機能が増えている。例えば、画像形成装置にウェブサーバおよびウェブブラウザが備えられるようになった。
【０００４】
ウェブの技術を用いることによって、２台の画像形成装置のうちの一方から他方への、設定に関する情報のエクスポートを、従来よりも容易に行うできるようになった。
【０００５】
また、設定に関する情報を移行する技術として、次のような技術が提案されている。一方の画像処理装置から設定値をエクスポートする際、ユーザ選択された設定項目にロケールに依存する設定項目がある場合、当該一方の画像処理装置から取得した前記選択された設定項目の設定値、ロケール情報、及びロケールに依存する設定項目の設定値を用いてエクスポートデータを生成する。他方の画像処理装置に設定値をインポートする際、インポートデータにロケール情報が含まれ、該ロケール情報と当該他方の画像処理装置のロケール情報が異なる場合、ロケール情報を変更できる権限ユーザの認証を経て、インポートデータに含まれるロケール情報で当該他方の画像処理装置のロケール情報を更新した上で、インポートデータに含まれるロケールに依存する設定項目及びユーザ選択された設定項目の設定値を用いて、当該他方の画像処理装置の設定情報を更新する（特許文献１）。
【先行技術文献】
【特許文献】
【０００６】
【特許文献１】特開２０１４−９３６４０号公報
【発明の概要】
【発明が解決しようとする課題】
【０００７】
画像形成装置は、設定に関する情報をエクスポートする際に、その情報を示すデータをメモリに展開する。
【０００８】
ところが、画像形成装置は組込みのハードウェアリソースを使用するので、このデータのための、メモリの割当てが限られている。画像形成装置の仕様によるが、このデータのための割当ては、例えば１メガバイト程度である。
【０００９】
したがって、このデータのサイズが割当てのサイズを上回る場合は、画像形成装置は、このデータを割当てのサイズ以下の複数の分割データに分割する。そして、分割データを１つずつメモリに展開し、エクスポートする。
【００１０】
また、画像形成装置は、種々の項目それぞれについて、設定に関する情報のデータを一括してエクスポートすることができる。そして、ユーザは、インポートの対象のデータを任意に選択し、他の画像形成装置にインポートさせることができる。
【００１１】
しかし、設定に関する情報のデータが複数の分割データに分割されてエクスポートされると、ユーザにとって、インポートの対象を選択するのが面倒である。
【００１２】
本発明は、このような問題点に鑑み、画像形成装置のように組込みのハードウェアリソースを用いる装置からエクスポートされた複数のデータの中から他の装置へインポートするデータを選択する作業を、ユーザにとって従来よりも容易にすることを、目的とする。
【課題を解決するための手段】
【００１３】
本発明の一形態に係る設定情報適用装置は、第一の処理装置における、複数の項目それぞれの設定の情報を選択的に第二の処理装置へ適用する設定情報適用装置であって、前記複数の項目それぞれの、前記設定の情報を示す設定データを所定のサイズ以下に分割した複数の分割データのうちのいずれかを、ユーザに選択させるための選択手段と、前記複数の分割データのうちのいずれかが前記ユーザによって選択された場合に、前記複数の項目それぞれの前記複数の分割データのうちの、当該選択された分割データおよび元の前記設定データが同一である分割データとを、被選択データに区分する区分手段と、前記複数の項目それぞれの前記複数の分割データのうちの前記被選択データに区分されている分割データを使用することによって、前記第二の処理装置へ前記設定の情報を適用するための適用処理を実行する、適用処理手段と、を有する。
【００１４】
好ましくは、前記選択手段は、前記複数の項目それぞれの前記複数の分割データそれぞれのオブジェクトを並べて表示することによって、当該複数の分割データのうちのいずれかを前記ユーザに選択させ、前記区分手段は、前記オブジェクトに対して選択の操作がなされた場合に、前記複数の項目それぞれの前記複数の分割データのうちの、当該オブジェクトに対応する分割データおよび当該対応する分割データと元の前記設定データが同一である分割データを、前記被選択データに区分する。
【００１５】
または、前記区分手段は、さらに、前記複数の項目それぞれの前記複数の分割データのうちの、前記選択の操作がなされた前記オブジェクトに対応する分割データに係る項目に関連する項目のすべての分割データを前記被選択データに区分する。
【００１６】
または、前記オブジェクトに対して解除の操作がなされた場合に、前記複数の項目それぞれの前記複数の分割データのうちの、当該オブジェクトに対応する分割データおよび当該対応する分割データと元の前記設定データが同一である分割データを、前記被選択データへの区分から外す、区分解除手段、を有し、前記適用処理手段は、前記適用処理を、実行の操作がなされた後に実行する。さらに、前記区分解除手段は、さらに、前記複数の項目それぞれの前記複数の分割データのうちの、前記解除の操作がなされた前記オブジェクトに対応する分割データに係る項目に関連する項目のすべての分割データを前記被選択データへの区分から外してもよい。
【発明の効果】
【００１７】
本発明によると、画像形成装置のように組込みのハードウェアリソースを用いる装置からエクスポートされた複数のデータの中から他の装置へインポートするデータを選択する作業を、ユーザにとって従来よりも容易にすることができる。
【図面の簡単な説明】
【００１８】
【図１】画像処理システムの全体的な構成の例を示す図である。
【図２】画像形成装置のハードウェア構成の例を示す図である。
【図３】端末装置のハードウェア構成の例を示す図である。
【図４】画像形成装置の機能的構成の例を示す図である。
【図５】エクスポートファイルテーブルの例を示す図である。
【図６】選択用画面の例を示す図である。
【図７】エクスポートファイルテーブルの更新の例を示す図である。
【図８】チェックボックスの更新の例を示す図である。
【図９】インポートプログラムによる全体的な処理の流れの例を説明するフローチャートである。
【図１０】インポートプログラムによる全体的な処理の流れの例を説明するフローチャートである。
【図１１】チェックボックスの遷移の例を示す図である。
【図１２】チェックボックスの遷移の例を示す図である。
【図１３】チェックボックスの遷移の例を示す図である。
【図１４】チェックボックスの遷移の例を示す図である。
【図１５】端末装置の機能的構成の例を示す図である。
【図１６】画像処理システムの全体的な構成の変形例を示す図である。
【発明を実施するための形態】
【００１９】
図１は、画像処理システム４の全体的な構成の例を示す図である。図２は、画像形成装置１のハードウェア構成の例を示す図である。図３は、端末装置２のハードウェア構成の例を示す図である。
【００２０】
画像処理システム４は、図１に示すように、複数台の画像形成装置１、端末装置２、および通信回線３などによって構成される。
【００２１】
画像処理システム４は、企業、役所、または学校などに設けられ、複数のユーザによって共用される。以下、ある企業において画像処理システム４が使用される場合を例に説明する。この企業は、複数の部門（部署）によって構成される。また、この企業の建物は、複数のフロアを有する。各部門は、これらのフロアのうちのいずれかで業務を行っている。
【００２２】
画像処理システム４のユーザ（企業の従業員）は、画像形成装置１を使用する際に、画像形成装置１へログインしなければならない。そこで、ログインのためのユーザアカウントがユーザごとに１つずつ与えられている。
【００２３】
さらに、部門ごとに、部門アカウントが与えられている。各ユーザは、部門アカウントを用いることによって、画像形成装置１へログインしたり自分が所属する部門を画像形成装置１に対して知らせたりすることができる。
【００２４】
各画像形成装置１および端末装置２は、通信回線３を介して通信を行うことができる。通信回線３として、いわゆるＬＡＮ（Local Area Network）回線、インターネット、公衆回線、または専用線などが用いられる。また、１つの部門ごとに１つのネットワークセグメントが設けられている。以下、ネットワークセグメントを単に「セグメント」と記載する。
【００２５】
画像形成装置１は、コピー、ネットワークプリント、ファックス、スキャン、電子メール、およびボックスなどの機能を集約した画像処理装置である。一般に、「複合機」または「ＭＦＰ（Multi Function Peripherals）」などと呼ばれることがある。
【００２６】
以下、各画像形成装置１を「画像形成装置１Ａ」、「画像形成装置１Ｂ」、…と区別して記載することがある。
【００２７】
ボックス機能は、ユーザごとに「ボックス」または「パーソナルボックス」などと呼ばれる記憶領域を与えておき、各ユーザが自分の記憶領域によってデータをファイル単位で保存し管理するための機能である。ボックスは、パーソナルコンピュータにおける「フォルダ」または「ディレクトリ」に相当する。
【００２８】
画像形成装置１は、図２に示すように、ＣＰＵ（Central Processing Unit）１０ａ、ＲＡＭ（Random Access Memory）１０ｂ、ＲＯＭ（Read Only Memory）１０ｃ、補助記憶装置１０ｄ、タッチパネルディスプレイ１０ｅ、操作キーパネル１０ｆ、ＮＩＣ（Network Interface Card）１０ｇ、モデム１０ｈ、スキャンユニット１０ｉ、およびプリントユニット１０ｊなどによって構成される。
【００２９】
タッチパネルディスプレイ１０ｅは、ユーザに対するメッセージを示す画面、ユーザがコマンドまたは情報を入力するための画面、およびＣＰＵ１０ａが実行した処理の結果を示す画面などを表示する。また、タッチパネルディスプレイ１０ｅは、タッチされた位置を示す信号をＣＰＵ１０ａへ送る。
【００３０】
操作キーパネル１０ｆは、いわゆるハードウェアキーボードであって、テンキー、スタートキー、ストップキー、およびファンクションキーなどによって構成される。
【００３１】
ＮＩＣ１０ｇは、ＴＣＰ／ＩＰ（Transmission Control Protocol/Internet Protocol）などのプロトコルによって他の画像形成装置１または端末装置２と通信を行う。
【００３２】
モデム１０ｈは、ファクシミリ端末との間でＧ３などのプロトコルで画像データをやり取りする。
【００３３】
スキャンユニット１０ｉは、プラテンガラスの上にセットされたシートに記されている画像を読み取って画像データを生成する。
【００３４】
プリントユニット１０ｊは、スキャンユニット１０ｉによって読み取られた画像のほか、ＮＩＣ１０ｇまたはモデム１０ｈによって端末装置２から受信した画像を用紙に印刷する。
【００３５】
ＲＯＭ１０ｃまたは補助記憶装置１０ｄには、上述のコピーなどの機能を実現するためのプログラムが記憶されている。さらに、ウェブサーバのプログラムおよびウェブブラウザのプログラムが記憶されている。
【００３６】
これらのプログラムは、必要に応じてＲＡＭ１０ｂにロードされ、ＣＰＵ１０ａによって実行される。補助記憶装置１０ｄとして、ハードディスクまたはＳＳＤ（Solid State Drive）などが用いられる。
【００３７】
ウェブサーバのプログラムによると、画像形成装置１自身に設定されている、種々の項目の情報を、他の装置へエクスポートする。例えば、ユーザ認証情報、部門認証情報、宛先情報、ネットワーク情報、およびデバイス情報などをエクスポートする。
【００３８】
ユーザ認証情報は、各ユーザのユーザアカウントの情報であって、ユーザが画像形成装置１へログインする際などにユーザを認証するための情報である。ユーザ認証情報には、ユーザコードおよびパスワードなどが含まれる。生体認証によってユーザの認証を行う場合は、パスワードの代わりに身体の特徴（例えば、指紋）の情報が用いられる。
【００３９】
部門認証情報は、各部門の部門アカウントの情報であって、ユーザが所属する部門を認証するための情報である。部門認証情報には、部門コードおよびパスワードなどが含まれる。
【００４０】
宛先情報は、アドレス帳の情報であって、この企業が取引しまたはこの企業に関連する相手ごとの名前、ファックス番号、および電子メールアドレスなどが含まれる。
【００４１】
ネットワーク情報には、この画像形成装置１のＩＰアドレス、この画像形成装置１が所属するセグメントのデフォルトゲートウェイ、このＩＰアドレスのネットワーク部を定義するサブネットマスク、およびこの画像形成装置１が使用するＤＮＳ（Domain Name System）サーバのＩＰアドレスなどが含まれる。
【００４２】
デバイス情報は、ネットワークに関する設定以外の、この画像形成装置１の情報である。例えば、この画像形成装置１のタッチパネルディスプレイ１０ｅに表示するフォントのデフォルトのサイズ、起動後に表示する画面（いわゆるホーム画面）、コピーのデフォルトの条件、いわゆるファックスの送信の際の宛先の確認のためのダイアログの表示の要否などの情報などが含まれる。
【００４３】
ウェブブラウザは、ウェブサーバから提供される、ＨＴＭＬ（Hypertext Markup Language）またはＪａｖａＳｃｒｉｐｔ（登録商標）などで記述されたファイルに基づいてウェブページをタッチパネルディスプレイ１０ｅに表示させる。
【００４４】
さらに、他の画像形成装置１からエクスポートされた情報を、画像形成装置１自身にインポートするためのインポートプログラム１０Ｐがウェブブラウザ上で実行される。
【００４５】
図１に戻って、端末装置２は、画像形成装置１のクライアントであって、端末装置２に用意された画像を画像形成装置１に印刷させたり、画像形成装置１がスキャンした画像を受信したりする。端末装置２として、パーソナルコンピュータ、タブレットコンピュータ、またはスマートフォンなどが用いられる。以下、端末装置２として、パーソナルコンピュータが用いられる場合を例に説明する。
【００４６】
端末装置２は、図３に示すように、ＣＰＵ２０ａ、ＲＡＭ２０ｂ、ＲＯＭ２０ｃ、補助記憶装置２０ｄ、タッチパネルディスプレイ２０ｅ、キーボード２０ｆ、ポインティングデバイス２０ｇ、およびＮＩＣ２０ｈなどによって構成される。
【００４７】
タッチパネルディスプレイ２０ｅには、ユーザに対するメッセージを示す画面、ユーザがコマンドまたは情報を入力するための画面、およびＣＰＵ２０ａが実行した処理の結果を示す画面などを表示する。
【００４８】
キーボード２０ｆおよびポインティングデバイス２０ｇは、ユーザが情報およびコマンドを入力するための入力装置である。ＮＩＣ２０ｈは、ＴＣＰ／ＩＰなどのプロトコルで画像形成装置１と通信する。
【００４９】
ＲＯＭ２０ｃまたは補助記憶装置２０ｄには、オペレーティングシステムおよび画像形成装置１のドライバのほか、ウェブブラウザのプログラムが記憶されている。これらのプログラムは、必要に応じてＲＡＭ２０ｂにロードされ、ＣＰＵ２０ａによって実行される。
【００５０】
図４は、画像形成装置１の機能的構成の例を示す図である。図５は、エクスポートファイルテーブル５７の例を示す図である。図６は、選択用画面６０の例を示す図である。図７は、エクスポートファイルテーブル５７の更新の例を示す図である。図８は、チェックボックス６０ａの更新の例を示す図である。
【００５１】
次に、設定ファイル５０のインポートの処理を、画像形成装置１Ａの設定ファイル５０を画像形成装置１Ｂへ適用する場合を例に説明する。
【００５２】
ユーザは、画像形成装置１Ｂのウェブブラウザに対して、画像形成装置１Ａのエクスポート用のウェブページのＵＲＬ（Uniform Resource Locator）を入力する。
【００５３】
すると、画像形成装置１Ｂのウェブブラウザは、このウェブページへアクセスする。このウェブページには、エクスポートの指令のためのボタンが設けられている。ユーザは、このボタンを押す。
【００５４】
すると、画像形成装置１Ａのウェブサーバは、各項目の設定の情報を、次のようにエクスポートする。
【００５５】
ウェブサーバは、エクスポートのための領域（以下、「エクスポート用領域」と記載する。）をＲＡＭ１０ｂに確保する。エクスポート用領域のサイズは、サイズＳ０（例えば、１メガバイト）である。画像形成装置１Ａ自身の所定のディレクトリに記憶されている、１つ目の項目の設定の内容を示す設定ファイル５０を検索する。
【００５６】
この設定ファイル５０のサイズがサイズＳ０を超える場合は、ウェブサーバは、この設定ファイル５０をサイズＳ０以下の複数の分割ファイル５１に分割する。
【００５７】
さらに、ウェブサーバは、これらの複数の分割ファイル５１のそれぞれに対して、共通する文字列のほか、シーケンス番号および拡張子を含むファイル名を付す。この共通する文字列は、これらの複数の分割ファイル５１のグループを特定する文字列であると、言える。そこで、以下、この文字列を「グループ文字列」と記載する。
【００５８】
例えば、宛先情報の設定ファイル５０から分割された複数の分割ファイル５１に対して、先頭から順に「ｍｆｐＸＸＸ＿ａｄｄｒｅｓｓ＿ｄａｔａ＿００１．ｄａｔ」、「ｍｆｐＸＸＸ＿ａｄｄｒｅｓｓ＿ｄａｔａ＿００２．ｄａｔ」、…のように、グループ文字列「ｍｆｐＸＸＸ＿ａｄｄｒｅｓｓ＿ｄａｔａ＿」、シーケンス番号、および拡張子からなるファイル名を付す。
【００５９】
さらに、ウェブサーバは、これらの複数の分割ファイル５１のそれぞれの所定の位置（例えば、ヘッダ）に、共通するキーワードを書き込む。
【００６０】
そして、ウェブサーバは、これらの複数の分割ファイル５１を１つずつエクスポート領域へロードして画像形成装置１Ｂへ送信する。
【００６１】
一方、この設定ファイル５０のサイズがサイズＳ０を超えない場合は、ウェブサーバは、この設定ファイル５０を、分割することなくエクスポート領域へロードして画像形成装置１Ｂへ送信する。この場合は、シーケンス番号を含まないファイル名を設定ファイル５０に付ける。
【００６２】
ウェブサーバは、２つ目以降の設定の内容を示す設定ファイル５０についても同様に、適宜、複数の分割ファイル５１に分割して、画像形成装置１Ｂへ送信する。
【００６３】
画像形成装置１Ｂにおいて、ウェブブラウザは、ウェブサーバからファイル（設定ファイル５０または分割ファイル５１）を受信すると、これらを所定のディレクトリ（以下、「エクスポートファイルディレクトリ１３１」と記載する。）に記憶させる。そして、インポートプログラム１０Ｐを実行する。
【００６４】
インポートプログラム１０Ｐは、画像形成装置１Ｂ自身のウェブサーバから提供される。具体的には、ウェブブラウザは、設定ファイル５０または分割ファイル５１を画像形成装置１Ａから受信した後、画像形成装置１Ｂ自身のウェブサーバの所定のウェブページへリダイレクトする。すると、画像形成装置１Ｂのウェブサーバが、このウェブページのデータの１つとして、インポートプログラム１０Ｐをウェブブラウザへ提供する。または、インポートプログラム１０Ｐを、プラグインとして予めウェブブラウザに用意しておいてもよい。
【００６５】
なお、他の公知の方法によって設定の情報のデータ（設定ファイル５０または分割ファイル５１）を画像形成装置１Ａから画像形成装置１Ｂへエクスポートしてもよい。いずれにせよ、画像形成装置１Ｂのエクスポートファイルディレクトリ１３１に、設定ファイル５０または分割ファイル５１が記憶される。
【００６６】
また、分割ファイル５１がエクスポートファイルディレクトリ１３１に記憶されても、これらに示される情報（設定）は、画像形成装置１Ｂには未だ適用されていない。エクスポートファイルディレクトリ１３１とは異なる所定のディレクトリに記憶されることによって、設定が適用される。
【００６７】
インポートプログラム１０Ｐによると、図４に示すファイルテーブル記憶部１０１、選択用画面表示部１０２、選択ファイルグループ特定部１０３、第一のグループメンバ選出部１０４、インポート対象追加部１０５、解除ファイルグループ特定部１０６、第二のグループメンバ選出部１０７、選択解除部１０８、およびインポート処理部１０９などの機能が画像形成装置１Ｂに実現される。
【００６８】
ファイルテーブル記憶部１０１は、エクスポートファイルテーブル５７を記憶する。エクスポートファイルテーブル５７には、図５のように、エクスポートファイルディレクトリ１３１に記憶されているファイル（設定ファイル５０または分割ファイル５１）ごとに、ファイル名および選択状態が示される。
【００６９】
「選択状態」は、画像形成装置１Ｂへのインポートの対象として選択されているか否かである。「Ｖ」は、選択されていることを意味し、「−」は、選択されていないことを意味する。
【００７０】
エクスポートファイルディレクトリ１３１にファイルが新たに記憶されるごとに、ファイルテーブル記憶部１０１は、そのファイルの選択状態およびファイル名をエクスポートファイルテーブル５７に追加する。選択状態の初期値は、「−」である。
【００７１】
選択用画面表示部１０２は、図６に示す選択用画面６０を画像形成装置１Ｂ自身のタッチパネルディスプレイ１０ｅに表示させる。
【００７２】
選択用画面６０には、エクスポートファイルディレクトリ１３１に記憶されている設定ファイル５０および分割ファイル５１ごとのファイル名がチェックボックス６０ａとともに配置されている。チェックボックス６０ａは、対応する設定ファイル５０または分割ファイル５１をインポートの対象に含めるか否かをユーザが指定するためのオブジェクトである。チェックが入っている状態は、インポートの対象であることを意味し、チェックが入っていない状態は、インポートの対象でないことを意味する。
【００７３】
選択用画面６０が表示された当初は、いずれのチェックボックス６０ａにもチェックが入っていない。つまり、いずれの設定ファイル５０も分割ファイル５１も未だインポートの対象ではない。
【００７４】
そのほか、選択用画面６０には、全選択ボタン６０ｂ、全解除ボタン６０ｃ、およびインポートボタン６０ｄなどが配置されている。
【００７５】
ここで、ユーザは、設定の情報を画像形成装置１Ｂへインポートしたい項目の設定ファイル５０または分割ファイル５１に対応するチェックボックス６０ａをタップすることによって選択する。以下、設定ファイル５０に対応するチェックボックス６０ａがタップされた場合および分割ファイル５１に対応するチェックボックス６０ａがタップされた場合について、説明する。どちらがタップされたのかは、ファイル名にシーケンス番号が含まれているか否かによって判別することができる。
【００７６】
選択ファイルグループ特定部１０３は、チェックが入っていない場合にチェックボックス６０ａがタップされると、このチェックボックス６０ａに対応するファイルが分割ファイル５１であれば、この分割ファイル５１が属するグループを特定する。
【００７７】
本実施形態では、選択ファイルグループ特定部１０３は、この分割ファイル５１のファイル名からグループ文字列を抽出する。そして、このグループ文字列のグループを、この分割ファイル５１が属するグループとして特定する。グループ文字列は、ファイル名からシーケンス番号および拡張子を除くことによって得られる。例えば、ユーザが「ｍｆｐＸＸＸ＿ａｄｄｒｅｓｓ＿ｄａｔａ＿００２．ｄａｔ」というファイル名の分割ファイル５１を選択した場合は、「ｍｆｐＸＸＸ＿ａｄｄｒｅｓｓ＿ｄａｔａ＿」というグループ文字列のグループを、この分割ファイル５１が属するグループとして特定する。
【００７８】
第一のグループメンバ選出部１０４は、選択ファイルグループ特定部１０３によって特定されたグループに所属する分割ファイル５１を選出する。
【００７９】
本実施形態では、第一のグループメンバ選出部１０４は、選択ファイルグループ特定部１０３によって特定されたグループのグループ文字列をファイル名に含む分割ファイル５１を選出する。上述の例の場合は、「ｍｆｐＸＸＸ＿ａｄｄｒｅｓｓ＿ｄａｔａ＿」というグループ文字列をファイル名に含む分割ファイル５１を選出する。つまり、「ｍｆｐＸＸＸ＿ａｄｄｒｅｓｓ＿ｄａｔａ＿００１．ｄａｔ」、「ｍｆｐＸＸＸ＿ａｄｄｒｅｓｓ＿ｄａｔａ＿００２．ｄａｔ」、および「ｍｆｐＸＸＸ＿ａｄｄｒｅｓｓ＿ｄａｔａ＿００３．ｄａｔ」を選出する。
【００８０】
インポート対象追加部１０５は、エクスポートファイルテーブル５７の中の、第一のグループメンバ選出部１０４によって選出された分割ファイル５１の選択状態の値を「Ｖ」に更新する。これにより、この分割ファイル５１が、画像形成装置１Ｂへのインポートの対象として追加される。上述の例の場合は、図７（Ａ）のようにエクスポートファイルテーブル５７が更新される。
【００８１】
さらに、選択用画面表示部１０２は、第一のグループメンバ選出部１０４によって選出された分割ファイル５１のチェックボックス６０ａにチェックを入れる。上述の例の場合は、図８（Ａ）のように３つのチェックボックス６０ａにチェックを入れる。
【００８２】
または、チェックが入っていない場合にチェックボックス６０ａがタップされると、このチェックボックス６０ａに対応するファイルが設定ファイル５０であれば、インポート対象追加部１０５は、エクスポートファイルテーブル５７の中の、このチェックボックス６０ａに対応する設定ファイル５０の選択状態の値を「Ｖ」に更新する。
【００８３】
さらに、選択用画面表示部１０２は、この設定ファイル５０のチェックボックス６０ａにチェックを入れる。
【００８４】
または、ユーザは、すべての項目について設定の情報を画像形成装置１Ｂへインポートしたい場合は、全選択ボタン６０ｂをタップする。
【００８５】
すると、インポート対象追加部１０５は、エクスポートファイルテーブル５７の中の、未だ画像形成装置１Ｂへのインポートの対象でないすべての設定ファイル５０および分割ファイル５１の選択状態の値を「Ｖ」に更新する。これにより、図７（Ｂ）のようにエクスポートファイルテーブル５７が更新される。
【００８６】
または、ユーザは、画像形成装置１Ｂへのインポートの対象として追加された分割ファイル５１を、対象から外すことができる。ユーザは、対象から外したい分割ファイル５１に対応するチェックボックス６０ａをタップする。
【００８７】
解除ファイルグループ特定部１０６は、チェックが入っている場合にチェックボックス６０ａがタップされると、このチェックボックス６０ａに対応する分割ファイル５１が属するグループを特定する。
【００８８】
本実施形態では、解除ファイルグループ特定部１０６は、選択ファイルグループ特定部１０３による特定の方法と同様で、判別する。つまり、この分割ファイル５１のファイル名からグループ文字列を抽出する。そして、このグループ文字列のグループを、この分割ファイル５１が属するグループとして特定する。
【００８９】
第二のグループメンバ選出部１０７は、解除ファイルグループ特定部１０６によって特定されたグループに所属する分割ファイル５１を選出する。
【００９０】
本実施形態では、第二のグループメンバ選出部１０７は、解除ファイルグループ特定部１０６によって特定されたグループのグループ文字列をファイル名に含む分割ファイル５１を選出する。
【００９１】
選択解除部１０８は、エクスポートファイルテーブル５７の中の、第二のグループメンバ選出部１０７によって選出された分割ファイル５１の選択状態の値を「−」に更新する。これにより、この分割ファイル５１が、画像形成装置１Ｂへのインポートの対象から除外される。
【００９２】
さらに、選択用画面表示部１０２は、第二のグループメンバ選出部１０７によって選出された分割ファイル５１のチェックボックス６０ａからチェックを外す。
【００９３】
以上の処理によると、例えば、「ｍｆｐＸＸＸ＿ａｄｄｒｅｓｓ＿ｄａｔａ＿００２．ｄａｔ」というファイル名の分割ファイル５１が選択された場合は、図７（Ｃ）のようにエクスポートファイルテーブル５７が更新される。また、図８（Ｃ）のように３つのチェックボックス６０ａからチェックが外れる。
【００９４】
または、ユーザは、画像形成装置１Ｂへのインポートの対象として追加された設定ファイル５０を、対象から外すこともできる。ユーザは、対象から外したい設定ファイル５０に対応するチェックボックス６０ａをタップする。
【００９５】
すると、選択解除部１０８は、エクスポートファイルテーブル５７の中の、この設定ファイル５０の選択状態の値を「−」に更新する。これにより、この設定ファイル５０が、画像形成装置１Ｂへのインポートの対象から除外される。
【００９６】
さらに、選択用画面表示部１０２は、この設定ファイル５０のチェックボックス６０ａからチェックを外す。
【００９７】
または、ユーザは、画像形成装置１Ｂへのインポートの対象として追加された設定ファイル５０および分割ファイル５１をすべて、対象から外したい場合は、全解除ボタン６０ｃをタップする。
【００９８】
すると、選択解除部１０８は、エクスポートファイルテーブル５７の中の、画像形成装置１Ｂへのインポートの対象であるすべての設定ファイル５０および分割ファイル５１の選択状態の値を「−」に更新する。これにより、エクスポートファイルテーブル５７が、図５のように、選択用画面６０が表示された当初の状態に戻る。また、選択用画面表示部１０２は、これらの設定ファイル５０および分割ファイル５１のそれぞれの全選択ボタン６０ｂを、チェックが外れた状態に更新する。
【００９９】
なお、選択用画面表示部１０２は、ある分割ファイル５１を、インポートの対象でないときにユーザが選択すると、この分割ファイル５１のチェックボックス６０ａだけでなく、同一のグループに所属する他の分割ファイル５１すべてのチェックボックス６０ａへも一括してチェックを入れた。しかし、選択ファイルグループ特定部１０３が処理を開始する前に、ユーザが選択した分割ファイル５１のチェックボックス６０ａへ先にチェックを入れてもよい。そして、選択ファイルグループ特定部１０３によってグループが特定され、そのグループに所属する分割ファイル５１が第一のグループメンバ選出部１０４によって特定された後に、特定された分割ファイル５１のうち、選択された分割ファイル５１以外の分割ファイル５１（つまり、残りの分割ファイル５１）のチェックボックス６０ａへチェックを入れてもよい。インポート対象追加部１０５も、同様のタイミングで各分割ファイル５１の選択状態を更新してもよい。
【０１００】
同様に、選択用画面表示部１０２は、ある分割ファイル５１を、インポートの対象であるときにユーザが選択すると、解除ファイルグループ特定部１０６が処理を開始する前に、ユーザが選択した分割ファイル５１のチェックボックス６０ａから先にチェックを外してもよい。そして、解除ファイルグループ特定部１０６によってグループが特定され、そのグループに所属する分割ファイル５１が第二のグループメンバ選出部１０７によって特定された後に、特定された分割ファイル５１のうち、選択された分割ファイル５１以外の分割ファイル５１（つまり、残りの分割ファイル５１）のチェックボックス６０ａからチェックを外してもよい。インポート対象追加部１０５も、同様のタイミングで各分割ファイル５１の選択状態を更新してもよい。
【０１０１】
ユーザは、チェックボックス６０ａ、全選択ボタン６０ｂ、および全解除ボタン６０ｃを上述の通り適宜、操作することによって、いずれかの設定ファイル５０または分割ファイル５１をインポートの対象として選択する。そして、選択が完了したら、インポートボタン６０ｄをタップする。
【０１０２】
すると、インポート処理部１０９は、画像形成装置１Ａからエクスポートされた設定の情報をインポートする処理を、次のように実行する。
【０１０３】
インポート処理部１０９は、エクスポートファイルテーブル５７において選択状態の値として「Ｖ」が示される分割ファイル５１をエクスポートファイルディレクトリ１３１から抽出する。抽出した分割ファイル５１の中から同一のグループに所属する分割ファイル５１を選出する。選出した分割ファイル５１同士をマージすることによって、設定ファイル５０を復元する。
【０１０４】
そして、インポート処理部１０９は、復元された設定ファイル５０を所定のディレクトリに記憶させる。
【０１０５】
または、インポート処理部１０９は、空の設定ファイル５０を所定のディレクトリに生成する。そして、この設定ファイル５０に、選出した各分割ファイル５１の所定の部分（例えば、ヘッダおよびフッタ以外の部分）に示される内容を書き込む。
【０１０６】
グループが複数ある場合は、インポート処理部１０９は、それぞれのグループについて、上述の処理を行う。
【０１０７】
さらに、インポート処理部１０９は、エクスポートファイルテーブル５７において選択状態の値として「Ｖ」が示される設定ファイル５０をエクスポートファイルディレクトリ１３１から抽出する。そして、所定のディレクトリに記憶させる。
【０１０８】
なお、エクスポートの方法およびインポートの方法は、他の方法であってもよい。例えば、宛先情報をインポートする場合は、インポート先に既に存在する宛先情報へ、エクスポート元からエクスポートされた宛先情報を追記してもよい。
【０１０９】
図９〜図１０は、インポートプログラム１０Ｐによる全体的な処理の流れの例を説明するフローチャートである。
【０１１０】
次に、インポートの全体的な処理の流れを、画像形成装置１Ｂが画像形成装置１Ａから各項目の設定の情報をインポートする場合を例に説明する。
【０１１１】
画像形成装置１Ｂは、インポートプログラム１０Ｐに基づいて、図９〜図１０に示す手順で処理を実行する。
【０１１２】
画像形成装置１Ａから設定ファイル５０または分割ファイル５１がエクスポートされ、画像形成装置１Ｂにおいてエクスポートファイルディレクトリ１３１に記憶される。
【０１１３】
すると、画像形成装置１Ｂは、選択用画面６０（図６参照）を表示する（図９の＃１１）。そして、ユーザによる操作に応じて、次のように処理を実行する。
【０１１４】
チェックボックス６０ａがタップされた場合は（＃１２でＹｅｓ）、そのチェックボックス６０ａにチェックが入っていなければ、つまり、そのチェックボックス６０ａに対応するファイル（設定ファイル５０または分割ファイル５１）がインポートの対象でなければ（＃１３でＮｏ）、画像形成装置１Ｂは、エクスポートファイルテーブル５７（図５参照）の中の、そのファイルの選択状態を「Ｖ」に更新する（＃１４）。そのチェックボックス６０ａにチェックを入れる（＃１５）。
【０１１５】
さらに、画像形成装置１Ｂは、そのファイルのグループを特定し（＃１６）、そのグループに所属する他のファイル（分割ファイル５１）を選出する（＃１７）。ただし、そのファイルが設定ファイル５０であれば、グループが特定されず、他のファイルが選出されない。
【０１１６】
画像形成装置１Ｂは、他のファイル（分割ファイル５１）を特定できたら（＃１８でＹｅｓ）、エクスポートファイルテーブル５７の中の、当該他の分割ファイル５１それぞれの選択状態を「Ｖ」に更新する（＃１９）。当該他の分割ファイル５１それぞれのチェックボックス６０ａにチェックを入れる（＃２０）。
【０１１７】
一方、タップされたチェックボックス６０ａにチェックが入っていれば、つまり、そのチェックボックス６０ａに対応するファイル（設定ファイル５０または分割ファイル５１）が既にインポートの対象として選択されていれば（＃１３でＹｅｓ）、画像形成装置１Ｂは、エクスポートファイルテーブル５７の中の、そのファイルの選択状態を「−」に更新する（＃２１）。そのチェックボックス６０ａからチェックを外す（＃２２）。
【０１１８】
さらに、画像形成装置１Ｂは、そのファイルのグループを特定し（＃２３）、そのグループに所属する他のファイル（分割ファイル５１）を選出する（＃２４）。ただし、そのファイルが設定ファイル５０であれば、グループが特定されず、他のファイルが選出されない。
【０１１９】
画像形成装置１Ｂは、他のファイル（分割ファイル５１）を特定できたら（＃２５でＹｅｓ）、エクスポートファイルテーブル５７の中の、当該他の分割ファイル５１それぞれの選択状態を「−」に更新する（＃２６）。当該他の分割ファイル５１それぞれのチェックボックス６０ａからチェックを外す（＃２７）。
【０１２０】
または、全選択ボタン６０ｂがタップされた場合は（図１０の＃２８でＹｅｓ）、画像形成装置１Ｂは、インポートの対象として選択されていないすべての設定ファイル５０および分割ファイル５１の選択状態を「Ｖ」に更新する（＃２９）。さらに、これらの設定ファイル５０および分割ファイル５１のそれぞれに対応するチェックボックス６０ａにチェックを入れる（＃３０）。
【０１２１】
または、全解除ボタン６０ｃがタップされた場合は（＃３１でＹｅｓ）、画像形成装置１Ｂは、インポートの対象として選択されているすべての設定ファイル５０および分割ファイル５１の選択状態を「−」に更新する（＃３２）。さらに、これらの設定ファイル５０および分割ファイル５１のそれぞれに対応するチェックボックス６０ａからチェックを外す（＃３３）。
【０１２２】
インポートボタン６０ｄがタップされるまでの間、画像形成装置１Ｂは、チェックボックス６０ａ、全選択ボタン６０ｂ、または全解除ボタン６０ｃがタップされるごとに、適宜、ステップ＃１４〜＃２０、ステップ＃２１〜２７、ステップ＃２９〜＃３０、またはステップ＃３２〜３３の処理を実行する。
【０１２３】
そして、インポートボタン６０ｄがタップされたら（＃３４でＹｅｓ）、画像形成装置１Ｂは、選択状態が「Ｖ」である設定ファイル５０および分割ファイル５１をインポートする処理を行う（＃３５）。
【０１２４】
本実施形態によると、ユーザは、エクスポート元の画像形成装置１からエクスポートされた複数の分割ファイル５１中からインポート先の画像形成装置１へインポートする分割ファイル５１を従来よりも容易に選択することができる。
【０１２５】
図１１、図１２、図１３、および図１４は、チェックボックス６０ａの遷移の例を示す図である。図１５は、端末装置２の機能的構成の例を示す図である。図１６は、画像処理システム４の全体的な構成の変形例を示す図である。
【０１２６】
本実施形態では、選択ファイルグループ特定部１０３は、分割ファイル５１の所属するグループを、その分割ファイル５１のファイル名に含まれるグループ文字列によって特定した。そして、第一のグループメンバ選出部１０４は、特定されたグループ文字列を含むファイル名を有する分割ファイル５１を選出した。
【０１２７】
しかし、選択ファイルグループ特定部１０３および第一のグループメンバ選出部１０４は、グループ文字列を用いる代わりに、分割ファイル５１の所定の位置に示されるキーワードを用いてもよい。解除ファイルグループ特定部１０６および第二のグループメンバ選出部１０７も同様に、グループ文字列の代わりにキーワードを用いてもよい。
【０１２８】
本実施形態では、ある分割ファイル５１をチェックボックス６０ａによってインポートの対象として選択した場合に、第一のグループメンバ選出部１０４は、元の設定ファイル５０がこの分割ファイル５１と同一である他の分割ファイル５１をインポートの対象として選出した。しかし、この設定ファイル５０と関連する他の設定ファイル５０から分割された分割ファイル５１を、さらに、例えば次の（１）または（２）のように選出してもよい。
【０１２９】
（１）設定の項目同士の関連性に基づくグループ
選択ファイルグループ特定部１０３は、互いに関連する複数の項目それぞれの識別子を示す関連情報テーブルを有する。
【０１３０】
エクスポート元の画像形成装置１は、分割ファイル５１のファイル名に、元の設定ファイル５０に係る項目の識別子を含めておく。または、分割ファイル５１の所定の位置にその識別子をキーワードとして書き込んでおく。
【０１３１】
選択ファイルグループ特定部１０３は、ある分割ファイル５１のチェックボックス６０ａが、チェックが入っていないときにタップされると、上述の通り、この分割ファイル５１が属するグループがこの分割ファイル５１のファイル名に含まれるグループ文字列のグループであると特定する。
【０１３２】
さらに、選択ファイルグループ特定部１０３は、このファイル名の所定の位置またはファイル名に含まれる識別子を抽出し、この識別子に関連付けられている他の識別子を、関連情報テーブルから特定する。
【０１３３】
そして、選択ファイルグループ特定部１０３は、この分割ファイル５１に関連するグループが、当該他の識別子を所定の位置またはファイル名に含む分割ファイル５１のグループであると、特定する。
【０１３４】
第一のグループメンバ選出部１０４は、選択ファイルグループ特定部１０３によって特定された、この分割ファイル５１が属するグループおよびこの分割ファイル５１に関連するグループのいずれかに属する他の分割ファイル５１を選出する。
【０１３５】
インポート対象追加部１０５は、これらの分割ファイル５１の選択状態を「Ｖ」に更新する。
【０１３６】
その結果、例えば、宛先情報の識別子とネットワーク情報の識別子とが関連情報テーブルにおいて関連付けられている場合に、宛先情報の、ある分割ファイル５１のチェックボックス６０ａが選択されると、宛先情報のすべての分割ファイル５１およびネットワーク情報のすべての分割ファイル５１がインポートの対象になる。このとき、選択用画面６０（図６参照）において、選択された分割ファイル５１のチェックボックス６０ａに、図１１（Ａ）のようにチェックが入り、そして、宛先情報の残りのすべての分割ファイル５１およびネットワーク情報のすべての分割ファイル５１それぞれのチェックボックス６０ａに、図１１（Ｂ）のようにチェックが入る。
【０１３７】
（２）  エクスポート元とインポート先との関係に基づくグループ
上記の（１）は、関連する複数の項目が固定的（静的）であったが、エクスポート元とインポート先（この画像形成装置１自身）との関係に基づいて、関連する複数の項目を動的に決めてもよい。
【０１３８】
例えば、エクスポート元およびインポート先それぞれが設置されているフロアが異なる場合は、選択ファイルグループ特定部１０３は、ユーザ認証および宛先の２つの項目を互いに関連する項目として取り扱う。
【０１３９】
または、エクスポート元およびインポート先それぞれが設置されているセグメントが異なる場合は、選択ファイルグループ特定部１０３は、ユーザ認証、部門認証、宛先、ネットワークの４つの項目を互いに関連する項目として取り扱う。
【０１４０】
または、エクスポート元およびインポート先それぞれが使用される部門（部署）が異なる場合は、選択ファイルグループ特定部１０３は、ユーザ認証、部門認証、および宛先の３つの項目を互いに関連する項目として取り扱う。
【０１４１】
具体的には、互いに関連する複数の項目のうちのいずれかに係る分割ファイル５１のチェックボックス６０ａがタップされると、選択ファイルグループ特定部１０３は、上述の通り、この分割ファイル５１が属するグループが、この分割ファイル５１のファイル名に含まれるグループ文字列のグループであると、特定する。
【０１４２】
さらに、選択ファイルグループ特定部１０３は、このファイル名の所定の位置またはファイル名に含まれる識別子（項目の識別子）を抽出し、この識別子に関連する他の識別子を、エクスポート元およびインポート先の上述の関係によって動的に決まる複数の項目同士の関連性に基づいて特定する。
【０１４３】
そして、選択ファイルグループ特定部１０３は、この分割ファイル５１に関連するグループが、当該他の識別子を所定の位置またはファイル名に含む分割ファイル５１のグループであると、特定する。
【０１４４】
第一のグループメンバ選出部１０４は、上記の（１）と同様に、選択ファイルグループ特定部１０３によって特定された、この分割ファイル５１が属するグループおよびこの分割ファイル５１に関連する１つまたは複数のグループのいずれかに属する他の分割ファイル５１を選出する。インポート対象追加部１０５は、これらの分割ファイル５１の選択状態を「Ｖ」に更新する。
【０１４５】
以上の処理の結果、例えば、エクスポート元およびインポート先それぞれが異なるフロアに設置されており、かつ、宛先情報の分割ファイル５１のうちの１つのチェックボックス６０ａがタップされた場合は、宛先情報のすべての分割ファイル５１およびユーザ認証情報のすべての分割ファイル５１がインポートの対象になる。このとき、選択用画面６０において、タップされた分割ファイル５１のチェックボックス６０ａに、図１２（Ａ）のようにチェックが入り、そして、宛先情報の残りのすべての分割ファイル５１およびユーザ認証情報のすべての分割ファイル５１それぞれのチェックボックス６０ａに、図１２（Ｂ）のようにチェックが入る。
【０１４６】
または、エクスポート元およびインポート先それぞれが異なるセグメントに設けられており、かつ、ユーザ認証情報の分割ファイル５１のうちの１つのチェックボックス６０ａがタップされた場合は、宛先情報のすべてのファイル、ユーザ認証情報のすべてのファイル、部門認証情報のすべてのファイル、およびネットワーク情報のすべてのファイルがインポートの対象になる。このとき、タップされたチェックボックス６０ａに図１３（Ａ）のようにチェックが入り、そして、図１３（Ｂ）のように、宛先情報のすべての分割ファイル５１、ユーザ認証情報の残りのすべての分割ファイル５１、部門認証情報の設定ファイル５０、およびネットワーク情報のすべての分割ファイル５１それぞれのチェックボックス６０ａに図１３（Ｂ）のようにチェックが入る。なお、部門認証情報の設定ファイル５０が複数の分割ファイル５１に分割されている場合は、これらの複数の分割ファイル５１のすべてのチェックボックス６０ａにチェックが入る。
【０１４７】
または、エクスポート元およびインポート先それぞれが異なる部門（部署）で使用されており、かつ、ユーザ認証情報の分割ファイル５１のうちの１つのチェックボックス６０ａがタップされた場合は、宛先情報のすべてのファイル、ユーザ認証情報のすべてのファイル、および部門認証情報のすべてのファイルがインポートの対象になる。このとき、タップされたチェックボックス６０ａに図１４（Ａ）のようにチェックが入り、そして、図１４（Ｂ）のように、ユーザ認証情報の残りのすべての分割ファイル５１、部門認証情報の設定ファイル５０、および宛先情報のすべての分割ファイル５１それぞれのチェックボックス６０ａに図１４（Ｂ）のようにチェックが入る。なお、部門認証情報の設定ファイル５０が複数の分割ファイル５１に分割されている場合は、これらの複数の分割ファイル５１のすべてのチェックボックス６０ａにチェックが入る。
【０１４８】
エクスポート元およびインポート先それぞれのセグメントは、ＩＰアドレスおよびサブネットマスクに基づいて公知の方法によって特定すればよい。
【０１４９】
エクスポート元およびインポート先それぞれが設置されるフロアは、各画像形成装置１と設置されるフロアとの対応関係を示すテーブルを予め各画像形成装置１に用意しておき、これに基づいて特定すればよい。部門についても、同様である。または、ＧＰＳの情報に基づいてフロアを特定してもよい。または、エクスポート元およびインポート先それぞれで最も多く使用される部門アカウントまたは現在使用されている部門アカウントに基づいて部門を特定してもよい。
【０１５０】
解除ファイルグループ特定部１０６も、インポートの対象から解除する分割ファイル５１をユーザが選択した場合に、選択ファイルグループ特定部１０３による上記の（１）および（２）のいずれかの変形例と同様にグループを特定してもよい。
【０１５１】
上記（１）および（２）のいずれを使用するのかを、予め任意に設定できるようにしておいてもよい。また、上記（２）によると、エクスポート元とインポート先との関係が、上記の３つの関係（セグメントが相違すること、フロアが相違すること、および部門が相違すること）のうちの複数に該当することがある。そこで、３つの関係に予め優先順位を付けておき、選択ファイルグループ特定部１０３、解除ファイルグループ特定部１０６は、複数に該当する場合は優先順位の最も高いものに従えばよい。
【０１５２】
本実施形態では、設定ファイル５０および分割ファイル５１をインポートの対象として選択しまたはインポートの対象から外すためのオブジェクトとしてチェックボックス６０ａを用いたが、他のオブジェクトを用いてもよい。例えば、プルダウンメニューを用いてもよい。または、選択および非選択それぞれに対応する２つのラジオボタンを用いてもよい。
【０１５３】
本実施形態では、画像形成装置１Ｂは、インポートプログラム１０Ｐを自ら実行することによって、画像形成装置１Ａからエクスポートされた設定の情報をインポートしたが、インポートプログラム２０Ｐを端末装置２に実行させることによってインポートしてもよい。
【０１５４】
インポートプログラム２０Ｐは、ユーザが所定のＵＲＬを端末装置２のウェブブラウザに対して指定したときに、インポート先である画像形成装置１からウェブブラウザへ提供される。
【０１５５】
インポートプログラム２０ＰをＣＰＵ２０ａが実行することよって、図１５に示すファイルテーブル記憶部２０１、選択用画面表示部２０２、選択ファイルグループ特定部２０３、第一のグループメンバ選出部２０４、インポート対象追加部２０５、解除ファイルグループ特定部２０６、第二のグループメンバ選出部２０７、選択解除部２０８、およびインポート処理部２０９などの機能が端末装置２に実現される。
【０１５６】
ファイルテーブル記憶部２０１ないしインポート処理部２０９の機能は、それぞれ、基本的に、画像形成装置１のファイルテーブル記憶部１０１ないしインポート処理部２０９（図４参照）の機能と同様である。以下、エクスポート元が画像形成装置１Ａであり、インポート先が画像形成装置１Ｂである場合を例に、相違点を中心に説明する。
【０１５７】
画像形成装置１Ａからエクスポートされた設定ファイル５０および分割ファイル５１は、端末装置２の所定のディレクトリ（以下、「エクスポートファイルディレクトリ２３１」と記載する。）に記憶される。
【０１５８】
選択用画面表示部２０２は、選択用画面表示部１０２と同様に選択用画面６０を表示させる。ただし、表示先は、タッチパネルディスプレイ２０ｅである。ユーザは、タッチパネルディスプレイ２０ｅ、キーボード２０ｆ、またはポインティングデバイス２０ｇを操作して設定ファイル５０または分割ファイル５１を任意に選択する。
【０１５９】
選択ファイルグループ特定部２０３、第一のグループメンバ選出部２０４、およびインポート対象追加部２０５は、それぞれ、選択ファイルグループ特定部１０３、第一のグループメンバ選出部１０４、およびインポート対象追加部１０５と同様に処理を実行する。
【０１６０】
解除ファイルグループ特定部２０６、第二のグループメンバ選出部２０７、および選択解除部２０８は、それぞれ、解除ファイルグループ特定部１０６、第二のグループメンバ選出部１０７、および選択解除部１０８と同様に処理を実行する。
【０１６１】
インポート処理部２０９は、インポート処理部１０９と同様に、エクスポートファイルディレクトリ２３１からインポート先（本例では、画像形成装置１Ｂ）の所定のディレクトリへ、インポートの対象として選択された設定ファイル５０および分割ファイル５１をアップロードする。同一のグループの分割ファイル５１をマージして設定ファイル５０を再生する処理は、インポート処理部２０９が行ってもよいし、画像形成装置１Ｂが行ってもよい。
【０１６２】
本実施形態では、エクスポートされた情報を１台の画像形成装置１にのみにインポートした。しかし、複数台の画像形成装置１が一群として管理されている場合（いわゆる群管理されている場合）は、これらの画像形成装置１へインポートしてもよい。以下、画像形成装置１Ａ〜１Ｄのうち、画像形成装置１Ｂ、１Ｃ、および１Ｄが群管理されている場合を例に説明する。
【０１６３】
画像形成装置１Ｂ、１Ｃ、および１Ｄは、群管理されている画像形成装置１のリストを予め有している。画像形成装置１Ｃおよび１Ｄも、画像形成装置１Ｂと同等の機能を有する。
【０１６４】
設定ファイル５０または分割ファイル５１を画像形成装置１Ａからエクスポートし、画像形成装置１Ｂへインポートする（図１６の＃４１）。インポートの処理は、上述の通りである。すなわち、画像形成装置１Ｂがインポートプログラム１０Ｐに基づいてインポートする。または、インポートプログラム２０Ｐによって端末装置２を介してインポートしてもよい。
【０１６５】
画像形成装置１Ｂは、画像形成装置１Ａからエクスポートされた設定ファイル５０および分割ファイル５１のうち、自らへインポートした設定ファイル５０および分割ファイル５１のみを、画像形成装置１Ｃ、１Ｄへ送信する（＃４２、＃４３）。
【０１６６】
そして、画像形成装置１Ｃ、１Ｄのそれぞれは、画像形成装置１Ｂから設定ファイル５０および分割ファイル５１を受信すると、自らへインポートする。
【０１６７】
その他、画像処理システム４、画像形成装置１、端末装置２の全体または各部の構成、処理内容、設定の項目、処理順序、データの構成、画面の構成などは、本発明の趣旨に沿って適宜変更することができる。
【符号の説明】
【０１６８】
１Ａ  画像形成装置（第一の処理装置）
１Ｂ  画像形成装置（第二の処理装置、設定情報適用装置）
１Ｃ、１Ｄ  画像形成装置（第三の処理装置）
１０ｅ  タッチパネルディスプレイ（選択手段）
１０ｇ  ＮＩＣ（送信手段）
１０２  選択用画面表示部（選択手段）
１０５  インポート対象追加部（区分手段）
１０８  選択解除部（区分解除手段）
１０９  インポート処理部（適用処理手段）
２  端末装置（設定情報適用装置）
２０ｅ  タッチパネルディスプレイ（選択手段）
２０ｆ  キーボード（選択手段）
２０ｇ  ポインティングデバイス（選択手段）
２０ｈ  ＮＩＣ（通信手段、送信手段）
２０２  選択用画面表示部（選択手段）
２０５  インポート対象追加部（区分手段）
２０８  選択解除部（区分解除手段）
２０９  インポート処理部（適用処理手段）
２３１  エクスポートファイルディレクトリ（記憶手段）
５０  設定ファイル（設定データ）
５１  分割ファイル（分割データ）
６０ａ  チェックボックス（オブジェクト）
【図１】
2017028618.tif 000003
【図２】
2017028618.tif 000004
【図３】
2017028618.tif 000005
【図４】
2017028618.tif 000006
【図５】
2017028618.tif 000007
【図６】
2017028618.tif 000008
【図７】
2017028618.tif 000009
【図８】
2017028618.tif 000010
【図９】
2017028618.tif 000011
【図１０】
2017028618.tif 000012
【図１１】
2017028618.tif 000013
【図１２】
2017028618.tif 000014
【図１３】
2017028618.tif 000015
【図１４】
2017028618.tif 000016
【図１５】
2017028618.tif 000017
【図１６】
2017028618.tif 000018